(57)【要約】【課題】  本発明は、ＰＣ桁との間に渡設される鋼板を均一な力で支承することで崩壊したコンクリート片と鋼板との落下を防止することを可能としたコンクリート橋における間詰めコンクリート落下防止機構を提供することを目的とするものである。【解決手段】  本発明は、前記間詰めコンクリートの底面を覆う如くＰＣ桁１間に取り付けられる落下防止板４と、該落下防止板４の下方に位置し、かつ前記各ＰＣ桁１を結合するための構築される横桁５間に張設される弦状支持材６と、前記落下防止板４と弦状支持材６との間に、該弦状支持材６がアーチ形状に張設される如き横桁５の中央に向けて順次長さが大となるように垂直状に配列される複数の鉛直支持材９を備える。【選択図】        図３
2005155167.tif 000002
【特許請求の範囲】
【請求項１】
橋軸直角方向に所要間隔をあけて橋脚間に架設されるＰＣ桁の間隙に打設されるコンクリートにより構築される間詰めコンクリートの落下防止機構において、
前記間詰めコンクリートの底面を覆う如くＰＣ桁間に取り付けられる落下防止板と、
該落下防止板の下方に位置し、かつ前記各ＰＣ桁を結合するために構築される横桁間に張設される弦状支持材と、
前記落下防止板と弦状支持材との間に、該弦状支持材がアーチ形状に張設される如き横桁の中央に向けて順次長さが大となるように鉛直状に配列される複数の鉛直支持材を備える
ことを特徴とするコンクリート橋における間詰めコンクリート落下防止機構。
【請求項２】
前記弦状支持材がＰＣ鋼材により形成されると共に、その両端を横桁に穿孔される支持部材挿通用穴に挿通して緊着金具によって張設する
ことを特徴とする請求項１記載のコンクリート橋における間詰めコンクリート落下防止機構。
【請求項３】
前記鉛直支持材の上下端のすくなくとも一端が落下防止板または弦状支持材に固着されていることを
特徴とする請求項１または２記載のコンクリート橋における間詰めコンクリート落下防止機構。
【請求項４】
前記鉛直支持材が落下防止板の両側端を支持すべく二股状に分岐されると共に、該鉛直支持材の長さを自在に調整できる長さ調整部を備える
ことを特徴とする請求項１、２又は３記載のコンクリート橋における間詰めコンクリート落下防止機構。
【発明の詳細な説明】
【技術分野】
【０００１】
本発明はコンクリート橋における間詰めコンクリート落下防止機構に関する。詳しくは互いに平行して並列されたＰＣコンクリート橋桁との隙間に打設されるコンクリートの落下を防止するコンクリート橋における間詰めコンクリート落下防止機構に係るものである。
【背景技術】
【０００２】
橋桁の構造の一つにプレストレストコンクリート製の桁（以下、「ＰＣ桁」と称する）がある。このＰＣ桁は、騒音、振動が少なく、維持管理が容易であるうえに、特に、プレテンション方式のＰＣ桁は工場製品のため品質管理が良く、工期を短縮できるという長所を持っている。
【０００３】
ＰＣ桁は、断面矩形、箱形、Ｔ字状のプレストレストコンクリート製の主桁であり、桁軸と直角方向に所要間隔を介して複数本並設して橋台または橋台間に架設されるものである。そして各ＰＣ桁との間隙に間詰めコンクリートを打設することにより床版（以下、「間詰め床版」と称する）が構築される。
【０００４】
このＰＣ床版は長期間に渡っての車両の走行による振動によりＰＣ桁との間に隙間やひび割れが生じ、この隙間やひび割れに雨水が浸水することによって、内部よりコンクリートが崩壊することで落下するという問題が起きている。
【０００５】
そこでコンクリート片の落下を防止するための処置として図６に示すように、各ＰＣ桁１０１との間隙に間詰め床版を打設した後に、ＰＣ桁１０１との間に鋼板１０２を渡設し、ボルト１０３などによってＰＣ桁１０１に固着する手段がとられている。
【発明の開示】
【発明が解決しようとする課題】
【０００６】
しかしながらこの防止機構にあっては、長期間に渡って風雨に晒されることで鋼板やボルトなどが腐食し、鋼板によって支持されるコンクリート片が鋼板と共に落下し、間詰め床版下を走行する車両や歩行者に接触するなどの事故を引き起こす問題がある。
【０００７】
また、間詰め床版がり落下することによってＰＣ桁間に隙間が生じ、この隙間に走行中の車両のタイヤが嵌まり込んで事故を引き起こす問題がある。
【０００８】
本発明は、以上の点に鑑みて創案されたものであって、ＰＣ桁との間に渡設される鋼板を均一な力で支承することで劣化したコンクリート片と鋼板との落下を防止することを可能としたコンクリート橋における間詰めコンクリート落下防止機構を提供することを目的とするものである。
【課題を解決するための手段】
【０００９】
上記の目的を達成するために、本発明に係るコンクリート橋における間詰めコンクリート落下防止機構は、橋軸直角方向に所要間隔をあけて橋脚間に架設されるＰＣ桁の間隙に打設されるコンクリートにより構築される間詰めコンクリートの落下防止機構において、前記間詰めコンクリートの底面を覆う如くＰＣ桁間に取り付けられる落下防止板と、該落下防止板の下方に位置し、かつ前記各ＰＣ桁を結合するために構築される横桁間に張設される弦状支持材と、前記落下防止板と弦状支持材との間に、該弦状支持材がアーチ形状に張設される如き横桁の中央に向けて順次長さが大となるように鉛直状に配列される複数の鉛直支持材を備える。
【００１０】
ここで、間詰め床版が長期間にわたり雨水の浸水などによって劣化して崩落するのを落下防止板によって受け止めると共に、落下防止板下面に鉛直状に配列される鉛直支持材を介して張設される弦状支持材によって落下防止板に均一な支持圧が加わり間詰めコンクリートの落下を完全に防止することが可能となる。
【００１１】
また、弦状支持材をＰＣ鋼材より形成し、横桁に支持部材挿通用穴を穿孔し、弦状支持材の両端を支持部材挿通用穴に挿通して緊着金具によって張設する機構とすることにより、弦状支持材の取り付け作業が非常に容易に行なえることになる。
【００１２】
また、鉛直支持材を落下防止板の両側端を支持できるように二股状に分岐し、かつその長さ調整が自在に行なえる構成とすることにより、弦状支持材をアーチ状に張設することが容易に行なえることになる。
【発明の効果】
【００１３】
本発明のコンクリート橋における間詰めコンクリート落下防止機構によれば、間詰めコンクリート床版の底面に沿ってＰＣ桁間に渡設される落下防止板を鉛直方向から均一な力によって支持することで確実にコンクリート片の落下を防止することが可能となる。
【００１４】
また、既存のコンクリート橋に対して横桁に支持部材挿通用穴を穿孔するだけで、落下防止機構を容易に取り付けることができ、かつ弦状支持材が鉛直支持材によって逆アーチ状に張設されるために落下防止板には常に均一な支持圧が維持されることとなる。
【００１５】
また、鉛直支持材を二股状に分岐した構成とすることにより幅の広い落下防止板に対しても、その両側端を支持することにより安定した落下防止板の支持が行なえることとなる。
【発明を実施するための最良の形態】
【００１６】
以下、本発明の実施の形態を図面を参酌しながら説明し、本発明の理解に供する。
【００１７】
図１に、本発明を適用したコンクリート橋における間詰めコンクリート落下防止機構におけるＰＣ桁の断面説明図、図２は図１における側面説明図を示す。
断面Ｔ字形状に形成されるプレストコンクリート製のＰＣ桁１は、所要間隔をあけて複数本並設して橋脚２上に架設される。そして各ＰＣ桁１との間隙に間詰めコンクリートを打設することにより間詰め床版３が構築される。
【００１８】
更に、ＰＣ床版３の底面は各ＰＣ桁１との間隙に沿って帯状の鋼板による落下防止板４がボルトなどの結着部材１１によって各ＰＣ桁１間に取り付けられる。従ってこの落下防止板４によって間詰め床版３の崩落を阻止する構成とするものである。
【００１９】
また、各ＰＣ桁１の長手方向に沿って所要間隔ごとに各ＰＣ桁１を連結するために形成されるプレストコンクリート製の横桁５が構築される。従ってこの横桁５によって複数本並設して橋脚２上に架設されるＰＣ桁１同士が強固に連結されることとなる。
【００２０】
次に図３に示すように、各横桁５の略中央位置に２個の支持部材挿通用穴１０が貫設される。そして各横桁５間にＰＣ鋼材により形成される弾力性を有する弦状支持材６を渡設すべく、この弦状支持材６の両端を支持部材挿通用穴１０に挿通してジャッキなどの緊着金具８によって横桁５間に張設する。従って弦状支持材６は間詰め床版３底面に取り付けられる落下防止板４の下方位置において渡設された状態となる。
【００２１】
そこで落下防止板４と弦状支持材６との間に、向き合う横桁５から中央に向けて順次長さが大となるような寸法長さとした複数本の鉛直支持材９を一定間隔ごとに鉛直状に配列して弦状支持材６にテンションを加えた状態で逆アーチ形状となるように張設する。
【００２２】
また、図４には本発明を適用したコンクリート橋における間詰めコンクリート落下防止機構の他の例を示すものであり、鉛直支持材９は落下防止板４の両側端を支持すべくV字形状に分岐形成される。
【００２３】
そこで鉛直支持材９の中途には長さ調整部７が設けられる。この長さ調整部７は、鉛直支持材９の中途が切断され、これらを連結円筒部１２によって螺合した状態で連結することにより、連結円筒部１２を左右側へ回転させることで鉛直支持材９の長さ調整が自在に行なえる機構とするものである。
【００２４】
そこで鉛直支持材９と弦状支持材６との接合は、鉛直支持材９の下端に設けられる締結用環状部材１３によって弦状支持材６を巻着し、締め付けることで強固に連結する構成とし、又鉛直支持材９と落下防止板４との接合は、鉛直支持材９の上端にボルト１５によって全方位方向へ回動自在な状態で装着される半円形状の受け盤１４によって行なわれる。
【００２５】
従って長さ調整部７によって弦状支持材６を張設した状態で鉛直支持材９を弦状支持材６と落下防止板４との間に設けるものであり、更にＰＣ桁の振動や、地震時におけるズレに対しても半円形状の受け盤１４によって鉛直支持材９が自在に回動することにより折損することを防止できる構成とするものである。
【００２６】
ここで、落下防止板は必ずしも鋼板により形成される必要性は無く、防錆性および耐久性を有するものであれば、アルミニウム板やステンレス板または合成樹脂板などいかなる素材のものであっても良いが、特に強度および耐久性に優れた鋼板を使用することが望ましい。
【００２７】
また、弦状支持材は必ずしもＰＣ鋼材により形成される必要性は無く、強靭性および弾力性を有するものであれば合成樹脂繊維体などいかなる素材のものであっても良い。
【００２８】
以上の構成よりなる本発明では図５に示すように、新設の場合や既設のコンクリート橋に対して間詰めコンクリート落下防止機構を設けることが可能となるものである。そこでＰＣ床版３の劣化による崩落を阻止する落下防止板４に対して、向き合う横桁５から中央に向けて順次長さが大となるような寸法長さとした複数本の鉛直支持材９を一定間隔ごとに鉛直状に配列して弦状支持材６にテンションを加えた状態で逆アーチ形状となるように張設することで、各鉛直支持材９による落下防止板４に加わる応力は均一となり、落下防止板４を常に一定の力によって支承することが可能となる。
【００２９】
また、各横桁４間において弦状支持材６を張設することにより各横桁４にはＡ、Ｂ矢印方向への応力がかかることとなる。従って略同等な応力が相反する方向へかかるために、応力は互いに打ち消され、横桁５には応力のかからない状態となる。従って横桁５の補強をする必要がなく、既存のＰＣ桁にも十分に対応することが可能となる。
【００３０】
また、本発明の間詰めコンクリート落下防止機構の取り付けは、横桁に穴を開けることで容易に取り付けることができ、ＰＣ桁に直接に手を加えることなく、ＰＣ桁の強度を保持した状態での取り付けが可能となる。
【００３１】
なお、鉛直支持材はこれらの間隔が短いほど、あるいは本数が多いほどアーチ状に近い逆アーチ形状となり、落下防止板に対して面状の均一な支持圧が可能となる。
【００３２】
また、車両走行による床版への曲げモーメントが弦状支持材と鉛直支持材とによる鉛直方向へのモーメントにより軽減されることになり、床版のひび割れ等を未然に防ぐことが可能となる。
【００３３】
本発明では、間詰め床版が長期間にわたり雨水の浸水などによって落下するのを落下防止板によって受け止め、かつボルトなどの損傷により落下防止板の落下を鉛直支持材および弦状支持材によって均一な支持圧によって支承することで間詰めコンクリートの落下を完全に防止することが可能となる。
【図面の簡単な説明】
【００３４】
【図１】本発明を適用したコンクリート橋における間詰めコンクリート落下防止機構におけるＰＣ桁の断面説明図である。
【図２】図１における側面説明図である。
【図３】本発明を適用したコンクリート橋における間詰めコンクリート落下防止機構の一例を示す説明図である。
【図４】本発明を適用したコンクリート橋における間詰めコンクリート落下防止機構の他の例を示す説明図である。
【図５】本発明を適用したコンクリート橋における間詰めコンクリート落下防止機構の作用状態を示す説明図である。
【図６】従来からの間詰めコンクリート落下防止手段の一例を示す説明図である。
【符号の説明】
【００３５】
１        ＰＣ桁
２        橋脚
３        間詰め床版
４        落下防止板
５        横桁
６        弦状支持材
７        長さ調整部
８        緊着金具
９        鉛直支持材
１０      支持部材挿通用穴
１１      結着部材
１２      連結円筒部
１３      締結用環状部材
１４      受け盤
１５      ボルト
【図１】
2005155167.tif 000003
【図２】
2005155167.tif 000004
【図３】
2005155167.tif 000005
【図４】
2005155167.tif 000006
【図５】
2005155167.tif 000007
【図６】
2005155167.tif 000008